(57)【要約】      （修正有）【課題】ピストンに付着した残留試料を拭き取った清掃用ガーゼの巻き取りに際して、金属ロール軸がガーゼに接触したときの空転を防止し、金属軸が回転しないというエラーで装置が停止するトラブルを防止する装置を提供。【解決手段】溶融樹脂の物性を測る自動溶融試験機装置のピストン４をガーゼで掃除する機構において、ガーゼを巻き取る金属ロール軸に突起のついたテープを貼り付け、軸がガーゼに接触したときに、空転せずにリミットスイッチ１７を押すようにしたことを特徴とするピストン掃除用ガーゼ供給装置。【選択図】図２
0003121481.tif 000002
【実用新案登録請求の範囲】
【請求項１】
溶融樹脂の物性を測る自動溶融試験機装置のピストンをガーゼで掃除する機構において、ガーゼを巻き取る金属ロール軸に突起のついたテープを貼り付け、軸がガーゼに接触したときに、空転せずにリミットスイッチを押すようにしたことを特徴とするピストン掃除用ガーゼ供給装置。
【請求項２】
突起のついたテープが、マジックテープ（登録商標）の雄側であることを特徴とする請求項１に記載のピストン掃除用ガーゼ供給装置。
【考案の詳細な説明】
【技術分野】
【０００１】
本考案は、溶融樹脂の物性を測る溶融試験機装置におけるピストン掃除用ガーゼ供給装置に関し、詳しくは熱可塑性プラスチックの流れ性の試験等の自動装置に用いられるピストンに付着した残留試料を除去する掃除用ガーゼの供給装置に関する。
【背景技術】
【０００２】
熱可塑性プラスチックのような高分子物質は、その溶融流れ性が剪断速度に依存して、成形加工時の指標として重要な要素となっている。したがって、ＪＩＳ規格でもＪＩＳ  Ｋ  ７２１０に「熱可塑性プラスチックの流れ試験方法」として規格化が図られている。この流れ試験方法では、垂直に支持されたシリンダーと、上部に錘が取付けられてシリンダー内に挿入されるピストンと、シリンダーの下端に取付けられたダイと、シリンダーを囲繞するように設けられたヒータとから成る押出形プラストメータを用い、そのシリンダー内に熱可塑性プラスチックの試料を充填して、ヒータにより試料を加熱溶融した後、ピストンによりダイから溶融した試料を押し出し、この押出物であるストランドの単位時間当たりの質量を求め、これを１０分間に押出された質量に換算してメルトフローレート値として算定するようになっている。
【０００３】
この試験を行うための自動試験機においては、試料に直接接触するシリンダーやピストンの表面には試料が付着して残り、続く試験試料に混入してその性状を変質させてしまうおそれがあるため、付着した試料を掃除する必要がある。特に、ピストンには試料が付着しやすく自動装置によっては、ガーゼで３回の清掃が行われている。
自動試験装置におけるピストンの掃除用ガーゼは、金属ロール軸を使用して供給、巻き取りが行われている場合が多い。これらの装置においては、金属ロール軸がガーゼを巻き取って回転し、その回転を検知するとリミットスイッチがＯＮとなり、次の測定操作に移るようにされている。一方、この自動的に試料を拭き取った清掃用ガーゼには、残留試料が付着しているため、その巻き取りに際しては、金属ロール軸がガーゼに接触したときに空転するため、金属軸が回転しないというエラーで装置が停止するトラブルが頻発していた。
【考案の開示】
【考案が解決しようとする課題】
【０００４】
本考案は、上記問題点に鑑み、溶融樹脂の物性を測る溶融試験機装置のピストンに付着した残留試料を拭き取った清掃用ガーゼの巻き取りに際して、金属ロール軸がガーゼに接触したときの空転を防止し、金属軸が回転しないというエラーで装置が停止するトラブルを防止する装置の提供を目的とする。
【課題を解決するための手段】
【０００５】
本考案者は、上記課題を解決すべく鋭意検討した結果、ガーゼ巻き取り用の金属ロール表面に突起のついたテープを巻きつけることのより、金属ロールと残留試料が付着した清掃用ガーゼが空転を起こさないことを見出し、本考案を完成させた。
【０００６】
すなわち、本考案の第１の考案によれば、溶融樹脂の物性を測る自動溶融試験機装置のピストンをガーゼで掃除する機構において、ガーゼを巻き取る金属ロール軸に突起のついたテープを貼り付け、軸がガーゼに接触したときに、空転せずにリミットスイッチを押すようにしたことを特徴とするピストン掃除用ガーゼ供給装置が提供される。
【０００７】
また、本考案の第２の考案によれば、第１の考案において、突起のついたテープが、マジックテープ（登録商標）の雄側であることを特徴とするピストン掃除用ガーゼ供給装置が提供される。
【考案の効果】
【０００８】
本考案によれば、熱可塑性プラスチックの各種物性の試験、例えば、流れ性の試験（ＪＩＳＫ  ７２１０）の自動溶融試験機装置に用いられるピストンに付着した残留試料を除去する掃除用ガーゼの供給装置において、金属ロール軸がガーゼに接触したときの空転を防止し、金属軸が回転しないというエラーで装置が停止するトラブルを防止することができる。
【考案を実施するための最良の形態】
【０００９】
本考案の適用可能な、自動溶融試験装置は、ピストンに付着した残留試料をガーゼによって除去する工程を有するものであり、例えば、溶融張力測定装置、溶融粘弾性測定装置、メルトフローレート測定装置等を挙げることができる。
以下に本考案の溶融樹脂の物性を測る自動溶融試験機装置として、自動メルトフローレート測定装置を例にとり、ピストン掃除用ガーゼ供給装置を図で説明する。
【００１０】
図１は、本考案で用いる溶融樹脂の物性である流動性を測る自動溶融試験装置の全体を説明する概略図である。図１において、測定用試料は、試料カップ８に入れられ、シリンダー（炉）３内に設置され、その上部にピストン４が載せられ、さらに所定の分銅１２がピストン上に載せられ、シリンダーを所定の温度にすることにより、試料の流動性が測定される。第１回の測定が終了後、ピストン４は、その表面に付着した残留樹脂試料を清浄するために、アーム１０でピストン掃除機構７に運ばれ、ピストン清掃用ガーゼ６から繰り出されるガーゼで掃除される。なお、シリンダー３は、シリンダー掃除用ガーゼ１から繰り出され、ガーゼカッター機構２から送り出されるガーゼと清掃棒５でその内部が清掃され、測定済みの試料は、試料払い９に集められる。また、測定結果は、電気的に集計される。
【００１１】
図２は、図１に示したピストン掃除機構７を説明する概略図である。測定試料の押し出しに用いられたピストンは、溶融した試料に接するため、その表面に残留試料が付着する。したがって、次回の使用のためには、清浄する必要がある。上記のように、溶融樹脂の流動測定後のピストンは、アームでピストン掃除機構７に運ばれ、ガーゼで掃除される。
図２において、ピストン掃除用ガーゼ１６は、ガーゼ押さえ板１８を経て、ローラー１４、及び１４’を経由して、ガーゼ巻き取り装置１５に巻き取られる。一方、残留試料が付着したピストンは、アームで運ばれてきてガーゼの上部に設けられた上蓋のピストン挿入穴に差し込まれてガーゼに押し付けられるようにして、付着した残留試料がガーゼで拭き取られる。ピストン挿入穴は、横に並ぶように２０、２０’、２０”と３個設けられ、この操作を順次３回繰り返すことにより、完全にピストン表面に付着した残留試料は拭き取られる。
ピストンの掃除処理が３回行われると、ガーゼの新しい箇所がピストン挿入穴２０〜２０”の下に位置するようにガーゼ巻き取り装置１５が稼動する。ガーゼ巻き取り装置１５によりガーゼが巻き取られる際、ガーゼはローラー１４’を回転させ、ローラー１４’に設けられているカムを回転させる。ローラーの回転に伴ってカムが所定回数リミットスイッチ１７を作動させることにより、次の測定操作に移る合図が発信され、自動的に測定操作が進行する。所定時間内に所定回数リミットスイッチが作動しないときは、エラーとなり測定装置が停止する。
【００１２】
本考案においては、ピストン表面の残留試料を拭き取ったガーゼが接するローラー１４’の金属軸の表面に突起のついたテープが取り付けられ、ガーゼ巻き取り装置１５が駆動してガーゼを巻き取る際に、残留試料を拭き取ったガーゼが、確実にローラー１４’を回転させるようにしている。ローラー１４’を確実に回転させることにより、カムを回転させ、リミットスイッチ１７を作動させ、次の測定操作に移る合図が発信されて自動的に測定操作が進行する。ローラー１４’の金属軸の表面に突起のついたテープが取り付けられていないと、ピストン表面の残留試料を拭き取ったガーゼにはピストンから拭き取られた残留樹脂試料が固化して付着しているため、金属ロール１４’の表面で滑ってしまい、金属ロール１４’を確実に回転させることができず、カムが回転せず、リミットスイッチが作動しない。その結果、自動測定操作が進行しないことになってしまう。
【００１３】
図３は、本考案において、掃除装置のリミットスイッチ用金属ロール軸の表面に突起のついたテープを取り付けた状態を説明する一例の図である。図３において、金属ローラー１４’の表面には、突起のついたテープ１９が取り付けられている。本考案において、突起のついたテープとしては、特に限定されず、残留樹脂がガーゼ表面に貼りついた状態、例えば、コーティングされたような状態であっても確実に捕らえることができる機能を有するテープであれば良く、例えば、マジックテープ（登録商標）の雄側等を挙げることができる。また、取り付ける状態も特に限定されず、金属ローラーを確実に回転させるように取り付けられていれば、幅、位置等は任意に決めることができる。
【産業上の利用可能性】
【００１４】
本考案のピストン掃除用ガーゼ供給装置は、溶融樹脂の物性を測る自動溶融試験機装置のピストンをガーゼで掃除する機構において好適に用いることができ、例えば、熱可塑性プラスチックの流れ性の試験（ＪＩＳＫ  ７２１０）の自動溶融試験機装置において、金属軸が空転するというエラーで装置が停止するトラブルを防止することができる。
【図面の簡単な説明】
【００１５】
【図１】本考案で用いる溶融樹脂の流動性を測る自動溶融試験装置の全体を説明する概略図である。
【図２】本考案のピストン掃除機構７を説明する概略図である。
【図３】本考案の用金属ロール軸の表面に突起のついたテープを取り付けた状態を説明する一例の図である。
【符号の説明】
【００１６】
１  シリンダー掃除用ガーゼ
２  ガーゼカッター機構
３  シリンダー（炉）
４  ピストン
５  掃除棒
７  ピストン掃除機構
８  試料カップ
９  試料払い
１０  アーム
１１  チャック（ハサミ）
１２  分銅
１４、１４’  ローラー
１５  ガーゼ巻取り装置
１６  ガーゼ
１７  リミットスイッチ
１８  ガーゼ押え板
１９  突起のついたテープ
２０、２０’、２０”  ピストン挿入穴
【図１】
0003121481.tif 000003
【図２】
0003121481.tif 000004
【図３】
0003121481.tif 000005